(57)【要約】【課題】かご内が息苦しくなることを抑制することができるエレベータ装置を得る。【解決手段】かご１と、かご１に出入りする空気の流れを発生させる送風装置２と、かご１の昇降の緊急停止を検出する検出装置１２と、かご１に設けられたインターホン釦を有し、インターホン釦が操作されることにより情報センタと通話可能となるインターホン装置と、検出装置１２がかご１の昇降の緊急停止を検出し、さらに、インターホン釦が操作されることにより、送風装置２を駆動させる制御装置とを備えている。【選択図】図３
2012121654.tif 000002
【特許請求の範囲】
【請求項１】
かごと、
前記かごに出入りする空気の流れを発生させる風発生装置と、
前記かごに設けられた操作部を有し、前記操作部が操作されることにより外部と通話可能となるインターホン装置と、
前記操作部が操作されることにより、前記風発生装置を駆動させる制御装置とを備えたことを特徴とするエレベータ装置。
【請求項２】
前記かごの昇降の緊急停止を検出する検出装置をさらに備え、
前記制御装置は、前記検出装置が前記かごの昇降の緊急停止を検出し、さらに、前記操作部が操作されることにより、前記風発生装置を駆動させることを特徴とする請求項１に記載のエレベータ装置。
【請求項３】
前記風発生装置は、夏季運転の場合に前記かご内に空気を送り込むことを特徴とする請求項１または請求項２に記載のエレベータ装置。
【請求項４】
前記風発生装置は、冬季運転の場合に前記かご内の空気を排気することを特徴とする請求項１または請求項３に記載のエレベータ装置。
【請求項５】
停電時に前記風発生装置に電力を供給するバッテリをさらに備えたことを特徴とする請求項１ないし請求項４の何れか１項に記載のエレベータ装置。
【請求項６】
前記バッテリは、停電時に前記インターホン装置に電力を供給することを特徴とする請求項５に記載のエレベータ装置。
【請求項７】
前記風発生装置は、ファンを有していることを特徴とする請求項１ないし請求項６の何れか１項に記載のエレベータ装置。
【発明の詳細な説明】
【技術分野】
【０００１】
この発明は、かご内に設けられたインターホン装置を備えたエレベータ装置に関する。
【背景技術】
【０００２】
従来、操作部を有したインターホン装置を備え、かご内に乗客が閉じ込められたときに、操作部が操作されることにより、インターホン装置が情報センタと通話可能となるエレベータ装置が知られている（例えば、特許文献１参照）。
【先行技術文献】
【特許文献】
【０００３】
【特許文献１】特開２００８−３０８２５３号公報
【発明の概要】
【発明が解決しようとする課題】
【０００４】
しかしながら、かご内の乗客がインターホン装置の操作部を操作しても、保守技術者によりエレベータ装置の緊急停止が解除されるまでの間、かご内の乗客はかご内に閉じ込められたままの状態となる。この状態が長く続くと、かご内は息苦しくなり、かご内の乗客は不快に感じてしまうという問題点があった。
【０００５】
この発明は、かご内が息苦しくなることを抑制することができるエレベータ装置を提供するものである。
【課題を解決するための手段】
【０００６】
この発明に係るエレベータ装置は、かごと、前記かごに出入りする空気の流れを発生させる風発生装置と、前記かごに設けられた操作部を有し、前記操作部が操作されることにより外部と通話可能となるインターホン装置と、前記操作部が操作されることにより、前記風発生装置を駆動させる制御装置とを備えている。
【発明の効果】
【０００７】
この発明に係るエレベータ装置によれば、制御装置は、インターホン装置の操作部が操作されることにより、かごに出入りする空気の流れを発生させる風発生装置を駆動させるので、かご内が息苦しくなることを抑制することができる。
【図面の簡単な説明】
【０００８】
【図１】この発明の実施の形態１に係るエレベータ装置を示すブロック図である。
【図２】図１のエレベータ装置の動作の流れを示すフローチャートである。
【図３】この発明の実施の形態２に係るエレベータ装置を示すブロック図である。
【図４】図３のエレベータ装置の動作の流れを示すフローチャートである。
【図５】この発明の実施の形態３に係るエレベータ装置を示すブロック図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエレベータ装置を示すブロック図である。図において、この発明の実施の形態１に係るエレベータ装置は、かご１と、かご１に出入りする空気の流れを発生させる送風装置（風発生装置）２と、送風装置２の駆動を制御する制御装置３と、操作されることによりかご１内と情報センタ（外部）４との間で通話可能となるインターホン装置５とを備えている。
【００１１】
送風装置２は、回転可能なファン６と、ファン６を駆動させる駆動装置７とを有している。駆動装置７は、ファン６を回転させることにより、かご１内に空気を送り込んだり、かご１内の空気を排気したりすることができる。
【００１２】
インターホン装置５は、インターホン釦（操作部）８と、かご１内の乗客９の声を情報センタ４へ送るために用いられるマイク１０と、情報センタ４からの音声をかご１内に発するスピーカ１１とを有している。インターホン釦８、マイク１０およびスピーカ１１は、かご１内に設けられている。インターホン装置５は、インターホン釦８が操作されることにより、操作されたことを示す操作信号を制御装置３に送るようになっている。
【００１３】
制御装置３は、インターホン装置５からの操作信号を受けることにより、送風装置２を駆動する。制御装置３には、送風装置２の運転状態が夏季運転状態であるか冬季運転状態であるかの情報が記憶されている。制御装置３は、送風装置２の運転状態が夏季運転状態である場合には送風装置２の駆動によりかご１内に空気を送り込み、送風装置２の運転状態が冬季運転状態である場合には送風装置２の駆動によりかご１内の空気を排出する。
【００１４】
次に、エレベータ装置の動作について説明する。図２は、図１のエレベータ装置の動作の流れを示すフローチャートである。図において、エレベータ装置の運転が開始されると、制御装置３は、インターホン装置５からの操作信号を受けたか否かを判定する（ステップＳ１）。ステップＳ１で、制御装置３が操作信号を受けていない場合には、ステップＳ１を繰り返す。
【００１５】
ステップＳ１で、制御装置３が操作信号を受けた場合には、インターホン装置５は、インターホン釦８が操作されているので、情報センタ４と通話可能となる（ステップＳ２）。
【００１６】
その後、制御装置３は、送風装置２の運転状態が夏季運転状態であるか冬季運転状態であるかを判定する（ステップＳ３）。
【００１７】
ステップＳ３で、送風装置２の運転状態が夏季運転状態であると制御装置３が判定した場合には、制御装置３は、送風装置２の駆動を制御して、かご１内に空気を送り込む（ステップＳ４）。一方、ステップＳ３で、送風装置２の運転状態が冬季運転状態であると制御装置３が判定した場合には、制御装置３は、送風装置２の駆動を制御して、かご１内の空気を排気する（ステップＳ５）。
【００１８】
以上説明したように、この発明の実施の形態１に係るエレベータ装置によれば、制御装置３は、インターホン装置５のインターホン釦８が操作されることにより、かご１に出入りする空気の流れを発生させる送風装置２を駆動させるので、かご１内が息苦しくなることを抑制することができる。
【００１９】
また、送風装置２は、夏季運転の場合にかご１内に空気を送り込むので、冷たい空気をかご１内に送り込むことができる。その結果かご１内が息苦しくなることをさらに抑制することができる。
【００２０】
また、送風装置２は、冬季運転の場合にかご１内の空気を排気するので、冷たい空気がかご１内に送り込まれることを抑制することができる。
【００２１】
また、送風装置２は、ファン６を有しているので、簡単な構成で、かご１に出入りする空気の流れを発生させることができる。
【００２２】
実施の形態２．
図３はこの発明の実施の形態２に係るエレベータ装置を示すブロック図である。図において、この発明の実施の形態２に係るエレベータ装置は、地震等により発生するかご１の昇降の緊急停止を検出する検出装置１２をさらに備えている。検出装置１２は、かご１の昇降を制御するエレベータ制御盤１３に組み込まれている。
【００２３】
検出装置１２は、検出装置１２がかご１の昇降の緊急停止を検出することにより、検出信号を制御装置３に送るようになっている。
【００２４】
制御装置３は、検出装置１２からの検出信号を受け、さらに、インターホン装置５からの操作信号を受けることにより、送風装置２を駆動する。その他の構成は、実施の形態１と同様である。
【００２５】
次に、エレベータ装置の動作について説明する。図４は図３のエレベータ装置の動作の流れを示すフローチャートである。図において、エレベータ装置の運転が開始されると、制御装置３は、検出装置１２からの検出信号を受けたか否かを判定する（ステップＳ１１）。ステップＳ１１で、制御装置３が検出信号を受けていない場合には、ステップＳ１１を繰り返す。
【００２６】
ステップＳ１１で、制御装置３が検出信号を受けた場合には、制御装置３は、インターホン装置５からの操作信号を受けたか否かを判定する（ステップＳ１２）。ステップＳ１２で、制御装置３が操作信号を受けていない場合には、ステップＳ１１へ戻る。
【００２７】
ステップＳ１２で、制御装置３が操作信号を受けた場合には、インターホン装置５は、インターホン釦８が操作されているので、情報センタ４と通話可能となる（ステップＳ１３）。
【００２８】
その後、制御装置３は、送風装置２の運転状態が夏季運転状態であるか冬季運転状態であるかを判定する（ステップＳ１４）。
【００２９】
ステップＳ１４で、送風装置２の運転状態が夏季運転状態であると制御装置３が判定した場合には、制御装置３は、送風装置２の駆動を制御して、かご１内に空気を送り込む（ステップＳ１５）。一方、ステップＳ１４で、送風装置２の運転状態が冬季運転状態であると制御装置３が判定した場合には、制御装置３は、送風装置２の駆動を制御して、かご１内の空気を排気する（ステップＳ１６）。
【００３０】
以上説明したように、この発明の実施の形態２に係るエレベータ装置によれば、制御装置３は、かご１の昇降の緊急停止を検出する検出装置１２からの検出信号を受け、さらに、インターホン装置５からの操作信号を受けることにより、送風装置２を駆動するので、かご１内に乗客９が閉じ込められたときに、送風装置２が駆動して、かご１内が息苦しくなることを抑制することができる。また、検出装置１２がかご１の昇降の緊急停止を検出していない状態で、インターホン装置５が操作されたときに、送風装置２が駆動することを防ぐことができる。また、検出装置１２がかご１の昇降の緊急停止を検出しても、インターホン装置５が操作されなければ、送風装置２が駆動しないので、乗客９がかご１内にいない状態で、かご１の昇降の緊急停止が発生したときに、送風装置２が駆動することを防ぐことができる。
【００３１】
なお、上記実施の形態２では、検出装置１２がエレベータ制御盤１３に組み込まれている例について説明したが、検出装置１２とエレベータ制御盤１３とが別々に設けられてもよい。
【００３２】
実施の形態３．
図５はこの発明の実施の形態３に係るエレベータ装置を示すブロック図である。図において、この発明の実施の形態３に係るエレベータ装置は、停電時に、送風装置２、制御装置３およびインターホン装置５に電力を供給するバッテリ１４をさらに備えている。その他の構成は、実施の形態１と同様である。なお、その他の構成を実施の形態２と同様にしてもよい。
【００３３】
以上説明したように、この発明の実施の形態３に係るエレベータ装置によれば、停電時にバッテリ１４から送風装置２に電力が供給されるので、停電が発生することによりかご１の昇降の緊急停止が発生してかご１内に乗客９が閉じ込められた場合に、送風装置２を駆動させることができる。その結果、停電が発生してもかご１内が息苦しくなることを確実に抑制することができる。
【００３４】
また、バッテリ１４は、停電時にインターホン装置５に電力を供給するので、バッテリ１４により送風装置２およびインターホン装置５の両方に電力を供給することができる。その結果、バッテリ１４の数を減らすことができ、コストの低減化を図ることができる。
【００３５】
なお、各上記実施の形態では、制御装置３をエレベータ制御盤１３から切り離した構成について説明したが、エレベータ制御盤１３に制御装置３が組み込まれた構成であってもよい。
【００３６】
また、各上記実施の形態では、風発生装置として送風装置２を例に説明したが、例えば、エアコンなどであってもよい。この場合、例えば、エアコンの運転状態が夏季運転状態の場合には、かご１内に冷たい空気が送り込まれ、エアコンの運転状態が冬季運転状態の場合には、かご１内に暖かい空気が送り込まれるようにしてもよい。
【００３７】
また、各上記実施の形態では、インターホン装置５と通話可能となる外部として情報センタ４を例に説明したが、例えば、エレベータ装置が取り付けられている建物の管理室であってもよい。
【符号の説明】
【００３８】
１  かご、２  送風装置（風発生装置）、３  制御装置、４  情報センタ（外部）、５  インターホン装置、６  ファン、７  駆動装置、８  インターホン釦（操作部）、９  乗客、１０  マイク、１１  スピーカ、１２  検出装置、１３  エレベータ制御盤、１４  バッテリ。
【図１】
2012121654.tif 000003
【図２】
2012121654.tif 000004
【図３】
2012121654.tif 000005
【図４】
2012121654.tif 000006
【図５】
2012121654.tif 000007